(57)【特許請求の範囲】
【請求項１】
天板と、
玄関の側壁に取り付けられ、前記天板を支持する支持部材と、
を備え、
前記天板の延伸方向が玄関の幅方向となるように前記支持部材が前記天板を支持する使用状態と、前記天板の延伸方向が鉛直方向となるように前記支持部材が前記天板を支持する収納状態との間で状態遷移が可能であり、
前記使用状態において、外から屋内へ人が侵入することを防ぐ侵入防止機能を発揮し、
前記使用状態における前記天板は、閉状態の玄関ドアの直近に位置する、
ことを特徴とする玄関用テーブル。
【請求項２】
前記天板は、前記使用状態及び前記収納状態のいずれにおいても、文房具を取り出し可能な態様で保持する保持部を有する、
ことを特徴とする請求項１に記載の玄関用テーブル。
【請求項３】
前記保持部は、筒状の文房具の側面を把持する、
ことを特徴とする請求項２に記載の玄関用テーブル。
【請求項４】
前記天板は、前記使用状態における上側面に窪みを有する、
ことを特徴とする請求項１に記載の玄関用テーブル。
【発明の詳細な説明】
【技術分野】
【０００１】
本発明は、玄関用テーブルに関する。
【背景技術】
【０００２】
例えば、宅配便の受け取り時など、家人又は来訪者が、玄関にて押印やサインなどを含む簡単な事務作業を行う必要がある場合がある。玄関で事務作業をより行い易くするために、従来、玄関にテーブルを設けることが提案されている。
【０００３】
例えば、特許文献１には、玄関に設置された下駄箱にスライド（引き出し）可能なテーブルを設けることが開示されている。
【先行技術文献】
【特許文献】
【０００４】
【特許文献１】特開２００３−３２５２４７号公報
【発明の概要】
【発明が解決しようとする課題】
【０００５】
玄関にテーブルを設置することで玄関で事務作業を行い易くなるが、テーブルによって玄関における人の通行が阻害される場合がある。特許文献１のように、テーブルをスライド可能とし、使用しないときはテーブルを端に収納しておいたとしても、玄関の側面からテーブルの幅分はスペースを占領されてしまう。
【０００６】
また、例えば、来訪者（特に、例えば宅配従業員やセールスマンなどの見知らぬ人）が家に来た場合など、家人が玄関にて来訪者と相対する必要がある場合がある。このような場合、来訪者が屋内へ侵入してこないかどうか、家人が不安を感じる場合があった。特に、女性の一人暮らしの場合には、来訪者に対して不安を感じる場合が多い。
【０００７】
本発明の目的は、玄関において、テーブル上で事務作業を行うことを可能にしつつも、テーブルを使用しない場合には人の通行が阻害されることを抑制することにある。あるいは、本発明の目的は、玄関の外から屋内への人の侵入を抑制することにある。
【課題を解決するための手段】
【０００８】
本発明は、天板と、玄関の側壁に取り付けられ、前記天板を支持する支持部材と、を備え、前記天板の延伸方向が玄関の幅方向となるように前記支持部材が前記天板を支持する使用状態と、前記天板の延伸方向が鉛直方向となるように前記支持部材が前記天板を支持する収納状態との間で状態遷移が可能であり、前記使用状態において、外から屋内へ人が侵入することを防ぐ侵入防止機能を発揮し、前記使用状態における前記天板は、閉状態の玄関ドアの直近に位置する、ことを特徴とする玄関用テーブルである。
【０００９】
望ましくは、前記天板は、前記使用状態及び前記収納状態のいずれにおいても、文房具を取り出し可能な態様で保持する保持部を有する、ことを特徴とする。
【００１０】
望ましくは、前記保持部は、筒状の文房具の側面を把持する、ことを特徴とする。
【００１１】
望ましくは、前記天板は、前記使用状態における上側面に窪みを有する、ことを特徴とする。
【発明の効果】
【００１４】
本発明によれば、玄関において、テーブル上で事務作業を行うことを可能にしつつも、テーブルを使用しない場合には人の通行が阻害されることを抑制することができる。あるいは、本発明によれば、玄関の外から屋内への人の侵入を抑制することができる。
【図面の簡単な説明】
【００１５】
【図１】使用状態における本実施形態に係る玄関用テーブルを示す図である。
【図２】収納状態における本実施形態に係る玄関用テーブルを示す図である。
【図３】天板の変形例を示す図である。
【図４】図３のＡ−Ａ方向から見た断面図である。
【発明を実施するための形態】
【００１６】
図１は、使用状態における本実施形態に係る玄関用テーブル１０を示す図である。図１は、玄関１２を外から見た図である。図１などに示すように、本明細書においては、高さ方向を「鉛直方向」と、水平方向であって玄関１２の幅方向を「幅方向」と、幅方向に直交する水平方向であって玄関１２から屋内へ向かう方向を「内方向」と、内方向の反対方向であって玄関１２から外へ向かう方向を「外方向」と記載する。また、本明細書における「左側」とは、内方向を向いたときの左側であり、「右側」とは、内方向を向いたときの右側を意味する。
【００１７】
図１に示される通り、玄関用テーブル１０は、玄関１２に設けられる。具体的には、玄関用テーブル１０は、玄関１２の側壁１４に取り付けられる。本実施形態では、玄関用テーブル１０は、土間１６の側方に位置する側壁１４に取り付けられている。
【００１８】
玄関用テーブル１０は、天板２０と支持部材２２とを含んで構成される。支持部材２２は、側壁１４に取付られ、天板２０を支持するための部材である。
【００１９】
天板２０は、平面視で細長形状の板状の部材である。天板２０の材質は、木材あるいは樹脂などであってよい。天板２０の平面視における隅部、特に、図１に示す使用状態における側壁１４と反対側に位置する隅部は、怪我防止のため又はデザイン性向上のため、平面視において角が丸みを帯びた形状となっている。
【００２０】
本実施形態では、天板２０は、幅方向（長手方向）の長さが５０ｃｍ、板厚が２ｃｍ、使用状態における設置高さは９０ｃｍとなっている。また、耐荷重は２０ｋｇとなっている。もちろん、天板２０のサイズや設置高さ及び耐荷重は種々に変更することができる。
【００２１】
本実施形態では、支持部材２２は、腕部２２ａを含み、腕部２２ａにより天板２０を下側から支持する棚受け部材となっている。図１に示すように、使用状態においては、腕部２２ａが伸長しており、これにより、天板２０の延伸方向（長手方向）が幅方向となるように、支持部材２２が天板２０を支持する。本実施形態では、支持部材２２は天板２０を片持ち支持しているが、支持部材２２が玄関１２の左右両方の側壁１４に設けられ、両支持部材２２により天板２０を支持するようにしてもよい。
【００２２】
腕部２２ａは折れ曲がることが可能となっており、腕部２２ａが折れ曲がることにより、玄関用テーブル１０は、後述の収納状態に状態遷移する。
【００２３】
使用状態における玄関用テーブル１０は、家人あるいは来訪者が玄関１２で事務作業を行う際の台として利用することができる。例えば、家人あるいは来訪者は、天板２０の上で伝票にサインあるいは押印したり、天板２０の上に紙幣や硬貨を置いたりすることができる。また、天板２０の耐荷重以下の重量の荷物であれば、天板２０の上に載置することもできる。また、天板２０は板状であって、且つ、側壁１４に取り付けられた支持部材２２により支持されていることから、天板２０の下側はスペース（空間）が存在する。したがって、天板２０の耐荷重より重い荷物、あるいは比較的サイズが大きい荷物を天板２０の下のスペースに載置した上で、家人あるいは来訪者は、天板２０の上で事務作業を行うことができる。
【００２４】
以下、使用状態における天板２０の上側面を「おもて面」と、天板２０の下側面を「裏面」と記載する。
【００２５】
図２は、収納状態における本実施形態に係る玄関用テーブル１０を示す図である。図２に示すように、収納状態においては、天板２０の延伸方向が鉛直方向となるように、支持部材２２が天板２０を支持する。支持部材２２は側壁１４に取り付けられていることから、収納状態においては、天板２０は、側壁１４の直近、すなわち玄関１２の幅方向の端において鉛直方向に立設した状態となる。なお、収納状態における天板２０の裏面には樹脂製のストッパ２４（図１参照）が設けられ、収納状態においてストッパ２４が側壁１４に当接する。
【００２６】
本実施形態では、支持部材２２が、天板２０を下側から支持する棚受け部材となっていることから、支持部材２２が折れ曲がって玄関用テーブル１０が収納状態に移行すると、天板２０の裏面が側壁１４側を向き、天板２０のおもて面が側壁１４とは反対方向を向くこととなる。つまり、収納状態においては、裏面よりも意匠がより考慮されているおもて面が露出することとなる。また、収納状態においては、支持部材２２が天板２０に隠れて見えづらくなる。これらにより、収納状態における玄関用テーブル１０の見栄えが良いという効果を奏する。
【００２７】
なお、支持部材２２としては、天板２０を下側から支持するものに限られない。支持部材２２は、使用状態において天板２０の延伸方向が幅方向となるように支持可能であり、且つ、収納状態において天板２０の延伸方向が鉛直方向となるように支持可能である限り、どのような構造であってもよい。また、収納状態において、天板２０のおもて面が側壁１４側を向き、天板２０の裏面が露出するようになっていてもよい。
【００２８】
図２に示す収納状態から、人が天板２０を引き上げることで、玄関用テーブル１０は、再度図１に示す使用状態に状態遷移することができる。なお、使用状態と収納状態と間の状態遷移は、手動ではなく電動で行うようにしてもよい。例えば、玄関用テーブル１０の近傍にスイッチを設け、当該スイッチが操作されたことに応じて、玄関用テーブル１０が電動で使用状態と収納状態の間で状態遷移するようにしてもよい。
【００２９】
以上説明したように、本実施形態に係る玄関用テーブル１０は、天板２０の延伸方向が幅方向となる使用状態と、天板２０の延伸方向が鉛直方向となる収納状態との間で状態遷移が可能となっている。これにより、使用状態においては、家人あるいは来訪者が玄関用テーブル１０（天板２０）上で事務作業を行うことができると共に、玄関用テーブル１０を使用しないときは、収納状態とすることで、玄関１２において人の通行が阻害されることを抑制することができる。
【００３０】
一般的に、玄関ドア３０が左開きの場合、人は、玄関１２のやや右側を通行することが多い。このことに鑑み、本実施形態では、玄関１２における人の通行を阻害しないことを重視すべく、図１及び図２に示すように、左開きの玄関ドア３０に対して、玄関用テーブル１０が玄関１２の左側の側壁１４に取り付けられている。これにより、収納状態においては、人があまり通行しない玄関１２の左側の端に玄関用テーブル１０が位置するため、玄関１２における人の通行が阻害されることをより抑制することができる。同様に、玄関ドア３０が右開きである場合であって、玄関１２における人の通行を阻害しないことを重視する場合、玄関用テーブル１０は玄関１２の右側の側壁１４に取り付けられるのがよい。
【００３１】
図３は、天板２０の変形例を示す斜視図である。図３においては、天板２０のみが示され、支持部材２２など、その他の部材の図示は省略されている。天板２０のおもて面には、窪み４０が設けられるのが望ましい。窪み４０は、小さな文房具（クリップなど）や硬貨などを入れるためのものである。これにより、小さな文房具や硬貨が天板２０から落下してしまうことが抑制される。窪み４０は、図３に示すように、天板２０のおもて面の一部に設けられてもよいし、天板２０のおもて面の周縁部を除く全体が窪み４０となっていてもよい。
【００３２】
また、天板２０には、玄関用テーブル１０が使用状態及び収納状態のいずれの状態であるときも、文房具を取り出し可能な態様で保持する保持部を有するのが望ましい。文房具とは、ペンなどの筆記具、印鑑や朱肉などの押印用具、定規やホッチキスなどの事務用具などを含む概念である。本実施形態では、保持部として、天板２０を貫通する保持孔４２が設けられている。保持孔４２は、筒状の文房具、例えばペンあるいは印鑑などが挿入されることで、筒状の文房具の側面を把持することで文房具を保持する。保持孔４２の径は、保持する文房具の外径に応じて定められるとよい。
【００３３】
図４は、図３のＡ−Ａ方向から見た断面図、すなわち保持孔４２の断面図が示されている。保持孔４２が文房具を好適に把持できるよう、保持孔４２には、弾力性に富み摩擦係数の高い部材（例えばゴムなどの樹脂）で形成された、筒状の内側部材４４が挿入されるとよい。内側部材４４は、その筒部４４ａの外側面と、保持孔４２の内側面とが密着するように設けられる。また、内側部材４４は、保持孔４２からの抜けを防止すべく、天板２０のおもて面の保持孔４２の縁に引っかかるフランジ部４４ｂを有していてもよい。また、内側部材４４は保持孔４２に接着されていてもよい。
【００３４】
特に、インクが内蔵されており押印する際に別途朱肉を要さないインク浸透印を保持孔４２にて保持する場合、インク浸透印はインクの渇きを防止すべくスタンプ面を覆うようにキャップが被せられるのが一般的であるところ、保持孔４２は、インク浸透印のキャップを保持することで、キャップを介してインク浸透印を保持するようにしてもよい。このようにすれば、保持孔４２に保持されたキャップからインク浸透印を引き抜くことで、インク浸透印をすぐ使用でき、使用後は、保持孔４２に保持されたキャップにインク浸透印をはめ込むことで、インク浸透印を保持孔４２に保持させつつ、インクの渇きを防止することができる。また、このようにすることで、キャップの紛失防止という効果も奏する。
【００３５】
なお、保持部としては、上述のような保持孔４２に限られない。玄関用テーブル１０が使用状態及び収納状態のいずれの状態においても、文房具を取り出し可能な態様で保持できる限りにおいてどのようなものであってもよい。例えば、天板２０に固定され、筒状の文房具の側面を挟み込んで保持する断面略Ｕ字状のペンホルダなどであってもよい。
【００３６】
図１に示される通り、玄関用テーブル１０が使用状態である場合は、天板２０によって玄関１２における人の通行が阻害される。換言すれば、玄関用テーブル１０は、使用状態において、外から玄関１２を介して屋内に人が侵入することを防ぐ侵入防止機能も発揮する。少なくとも、家人と来訪者との間に、幅方向に延伸する天板２０が存在することで、来訪者が屋内へ侵入してこないかどうかという家人の不安が低減される。
【００３７】
家人の不安を低減するという観点では、玄関用テーブル１０は、使用状態における天板２０が閉状態の玄関ドア３０の直近に位置するように設けられるのが好適である。具体的には、玄関ドア３０が閉状態であって玄関用テーブル１０が使用状態であるときに、玄関ドア３０（の内方向側面）と天板２０（の外方向端面）との間の距離が、その間に人が入れない程度の距離であるのが好適である。例えば、玄関ドア３０と天板２０との間の距離が１０ｃｍ以下であるのが好適である。
【００３８】
これにより、玄関用テーブル１０を使用状態としておく限りにおいて、来訪者が玄関１２に入って玄関ドア３０を閉めるということができなくなる。すなわち、家人が来訪者と相対している間、玄関ドア３０を開状態に維持することができるから、家人の不安をより低減させることができる。
【００３９】
玄関ドア３０が左開きの場合、玄関ドア３０は文字通り左側に開くため、来訪者は玄関ドア３０の外方向側の右側寄りに立っているのが一般的である。したがって、天板２０の長手方向の長さが玄関１２の幅よりも短い場合であって玄関用テーブル１０の侵入防止機能を重視する場合には、左開きの玄関ドア３０に対して、玄関用テーブル１０が玄関１２の右側の側壁１４に取り付けられるのがよい。これにより、玄関用テーブル１０が使用状態の場合、天板２０が玄関１２の右側の側壁１４から左側へ延びることとなるから、来訪者は天板２０の左側に空いているスペースに気付きにくい。したがって、玄関用テーブル１０の侵入防止機能がより発揮される。同様に、玄関ドア３０が右開きである場合、玄関用テーブル１０は玄関１２の左側の側壁１４に取り付けられるのがよい。
【００４０】
また、侵入防止機能の観点からは、インターホンシステム、好適にはカメラ付きインターホンシステムとの連動により、玄関用テーブル１０が収納状態から使用状態に自動的に（電動で）状態遷移するようにしてもよい。具体的には、玄関用テーブル１０は、インターホンシステムと通信可能に有線または無線で接続されており、インターホンが鳴らされたことをインターホンシステムから通知されると、収納状態から使用状態に自動的に状態遷移するようにしてもよい。
【００４１】
玄関用テーブル１０が設置された住宅に住む者（以下「家族」と記載する）がインターホンを鳴らした場合は、玄関用テーブル１０は使用状態に状態遷移すべきではない。したがって、家族の顔特徴を予めインターホンシステムに登録しておき、インターホンが鳴った時に、インターホンシステムは、インターホンを鳴らした者の顔を撮影するカメラが撮影した顔画像を解析し、当該顔画像から抽出された顔特徴が家族の顔特徴に一致する場合には玄関用テーブル１０を収納状態に維持し、当該顔画像から抽出された顔特徴が家族の顔特徴に一致しない場合には玄関用テーブル１０を使用状態に状態遷移させるようにしてもよい。
【００４２】
また、玄関用テーブル１０は、家人が外出する際に必ず通る玄関１２に設置されており、且つ、使用状態において玄関１２における人の通行を阻害するものであることから、忘れ物防止のために利用することができる。例えば、玄関用テーブル１０を使用状態としておき、外出時に持っていく予定の物を天板２０の上に載置しておく。これにより、家人は、外出時に必ず当該物を目にするので、当該物を持っていくことを忘れることがない。また、玄関用テーブル１０には、外出時に持っていく予定の物を入れた袋を引っ掛けておくためのフックが設けられていてもよい。
【００４３】
以上、本発明に係る実施形態を説明したが、本発明は上記実施形態に限られるものではなく、本発明の趣旨を逸脱しない限りにおいて種々の変更が可能である。
【符号の説明】
【００４４】
１０  玄関用テーブル、１２  玄関、１４  側壁、１６  土間、２０  天板、２２  支持部材、２２ａ  腕部、２４  ストッパ、３０  玄関ドア、４０  窪み、４２  保持孔、４４  内側部材、４４ａ  筒部、４４ｂ  フランジ部。
【要約】
【課題】玄関において、テーブル上で事務作業を行うことを可能にしつつも、テーブルを使用しない場合には人の通行が阻害されることを抑制する。あるいは、玄関の外から屋内への人の侵入を抑制する。
【解決手段】玄関用テーブル１０は、玄関１２に設けられる。玄関用テーブル１０は、細長形状の板状の部材である天板２０と、玄関１２の側壁１４に取付られ天板２０を支持するための支持部材２２とを含んで構成される。支持部材２２は腕部２２ａを含み、玄関用テーブル１０が使用状態の場合、腕部２２ａが伸長することで、天板２０の延伸方向（長手方向）が幅方向となるように、支持部材２２が天板２０を片持ち支持する。腕部２２ａが折れ曲がることにより、玄関用テーブル１０は収納状態に状態遷移する。収納状態においては、天板２０の延伸方向が鉛直方向となるように、支持部材２２が天板２０を支持する。
【選択図】図１【図１】
0006770624.tif 000002
【図２】
0006770624.tif 000003
【図３】
0006770624.tif 000004
【図４】
0006770624.tif 000005